(57)【要約】【課題】吊り下げ片や上蓋を破断せずに重い製品を吊り下げ展示可能にし、包装箱を積み重ねることによる展示も可能にした、展示用包装具の提供。【解決手段】展開した状態から組み立てて内部に製品を収容する包装箱３１と、挿通孔（４１，４２）を介し包装箱３１を吊下棒に吊り下げる吊下片３２を備えた展示用包装具３０であって、吊下片３２は、包装箱３１と別体に形成されると共に、前記挿通孔を備えつつ上下に伸びる吊下部（３９，４０）と、吊下部３２の基端において左右の少なくとも一方に伸びる支持部（４４，４５）によって構成され、包装箱３１は、組立後に吊下片３２の上端を上方に突出させる突出孔４３を上蓋３３に備えることにより、前記支持部が、上蓋３３の裏面に挟持される展示用包装具３０とした。【選択図】図１
2008265846.tif 000002
【特許請求の範囲】
【請求項１】
展開した状態から組み立てて内部に製品を収容するための包装箱と、挿通孔を介して前記包装箱を吊下棒に吊り下げて展示するための吊下片と、を備えた展示用包装具であって、
前記吊下片は、前記包装箱と別体に形成されると共に、前記挿通孔を備えつつ上下に伸びる吊下部と、前記吊下部の基端において左右の少なくとも一方へ伸びる支持部によって構成され、
前記包装箱は、組立後に前記吊下片の上端を上方に向けて突出させる突出孔をその上蓋に備えることにより、
前記支持部が、前記上蓋の裏面に挟持されることを特徴とする展示用包装具。
【請求項２】
前記吊下片は、前記支持部と前記吊下部との境界部分において折りたたみ部が形成され、
折りたたみ後の前記吊下片の最大外寸は、組立て後の前記包装箱の最大内寸以下であり、かつ折りたたみ後の前記吊下片の最小外寸は、組立て後の前記包装箱の最小内寸以下であって、前記吊下片が包装箱に収納されることを特徴とする請求項１記載の展示用包装具
【請求項３】
前記吊下片は、展示される位置に応じて長さの異なるものから選択した一の吊下片であることを特徴とする、請求項１または２に記載の展示用包装具
【請求項４】
前記吊下片は、前記吊下部が、二つ折りの透明な素材から形成され、二つ折りの隙間に物を挟持することを特徴とする、請求項１から３のうちいずれかに記載の展示用包装具
【発明の詳細な説明】
【技術分野】
【０００１】
本発明は、製品を収納した状態の包装箱を壁から伸張した等した吊下げ棒に吊して展示するための展示用包装具に関する技術である。
【背景技術】
【０００２】
下記特許文献１（特許第３６１６１６３号公報）は、従来技術となる展示包装体を示すものである。特許文献１の展示包装体１は、前面板７、後面板８、側面板（９，１０）、天板１２、底板１７からなるシートブランク２を組み立てて箱状としたものに吊り下げ片２４を一体化したものであり、吊り下げ片２４は、後面板８に一体化されている。展示包装体１は、シートブランク２を組立てる際に外折れ線２３及び内折れ線２５を折って吊り下げ片２４を上方に向け、天板１２の孔１２ａに通して上方に突出させることにより、吊り下げ孔２４を介して棒などに吊下げることが出来る。
【０００３】
【特許文献１】特許第３６１６１６３号公報
【発明の開示】
【発明が解決しようとする課題】
【０００４】
特許文献１の展示包装体は、吊り下げ片２４と後面板８を含む箱部分が一体であった。従って、箱部分に収納する製品の重量に比べて、展示包装体１の強度が低い場合には、吊り下げ時における吊り下げ片２４が、応力の集中する吊り下げ孔２４ａの周辺等から破断してしまうことが有った。
【０００５】
しかし、従来の展示包装体１において、強度不足による上記破断を防止するためには、吊り下げ片２４及び天板１２等の部材全体を強化する必要があったため、展示包装体１の単価が高くなる問題を引き起こしていた。
【０００６】
一方、従来の展示包装体１は、上方に突出した吊下片が邪魔をして箱を積み重ねて補完することが出来ないという問題があった。また、吊り下げ片２４の長さが一定であったため、一本の棒に複数の種類の製品を収納した展示包装体を吊した場合、先頭の包装体を除いて包装体前面に記載された製品説明の印刷を正面から見せることが出来なかったため、複数の製品を一本の棒に吊して展示することが出来ない問題があった。
【０００７】
本願発明は、上記問題を解決すべく案出されたものであって、重い製品を収納しても吊り下げ片や上蓋を破断することなく吊り下げ展示出来るばかりでなく、積み重ねることによる展示が可能で、更に、一本の棒に異なる製品を吊り下げても正面から収納製品の内容を確認できる展示を可能とした、展示用包装具を提供するものである。
【課題を解決するための手段】
【０００８】
前記目的を達成するために、請求項１に係る展示用包装具は、展開した状態から組み立てて内部に製品を収容するための包装箱と、挿通孔を介して前記包装箱を吊下棒に吊り下げて展示するための吊下片と、を備えた展示用包装具であって、前記吊下片は、前記包装箱と別体に形成されると共に、前記挿通孔を備えつつ上下に伸びる吊下部と、前記吊下部の基端において左右の少なくとも一方へ伸びる支持部によって構成され、前記包装箱は、組立後に前記吊下片の上端を上方に向けて突出させる突出孔をその上蓋に備えることにより、前記支持部が、前記上蓋の裏面に挟持されるように構成した。
【０００９】
（作用）請求項１の展示用包装具は、吊り下げ時に負荷が集中する吊下片に関して、使用時の状況に応じた強度の吊下片を包装箱に取り付けて吊り下げることにより、吊下片から生じる破断を防止出来る。例えば、炊飯器、ポット又はラジカセのように重い製品を吊り下げる場合、包装箱自体の強度は、紙やダンボール等でも十分に保持出来るが、吊下片を同一の部材で製作すると吊下片の強度が不十分になったり、展示場の湿度で強度が低下し、吊り下げ孔付近から破断することが有る。従って、吊下片は、包装箱の構成部材より強固な樹脂や金属、防水処理等により強化加工された紙やダンボール等で製作し、吊下片に製品重量に耐えうるを強度を持たせることにより、重量の有る製品を収納しても、吊下片の破断を生じること無く吊り下げ展示が可能になる。
【００１０】
また、請求項１の展示用包装具は、吊下片を包装箱から取り外すことにより、上蓋を平らにし、包装箱を積み重ねることが出来る。
【００１１】
請求項２は、請求項１に記載された展示用包装具であって、前記吊下片は、前記支持部と前記吊下部との境界部分において折りたたみ部が形成され、折りたたみ後の前記吊下片の最大外寸は、組立て後の前記包装箱の最大内寸以下であり、かつ折りたたみ後の前記吊下片の最小外寸は、組立て後の前記包装箱の最小内寸以下に形成し、前記吊下片が包装箱に収納されるようにした。
【００１２】
（作用）包装箱から取り外した吊下片は、折りたたんで包装箱内に格納することが出来る。また、吊下片の支持部が前記上蓋の裏面に固定され、展示用包装具を吊り下げた際に上蓋の挿入孔から抜けにくくなる。
【００１３】
請求項３は、請求項１または２に記載された展示用包装具であって、前記吊下片は、展示される位置に応じて長さの異なるものから選択した一の吊下片とした。
【００１４】
（作用）吊下片は、製品が収納された包装箱の重さに応じて、強度的に適切な長さのものを取り付けることにより、破断することが無くなる。また、包装箱の大きさや、収納している製品の種類によって取り付ける吊下片の長さを変え、棒からの包装箱の吊り下げ高さを変えることにより、前の箱が邪魔になることなく各包装箱に記載された製品説明を正面から見せることが出来る。
【００１５】
請求項４は、請求項１から３のうちいずれかに記載の展示用包装具であって、前記吊下片は、前記吊下部を二つ折りの透明な素材で形成し、二つ折りの隙間に物を挟持するように構成した。
【００１６】
（作用）製品宣伝表記や価格を記載した紙を吊下部の隙間に挟持させ、製品と一緒に展示することが出来る。
【発明の効果】
【００１７】
以上の説明から明らかなように、請求項１に係る展示用包装具によれば、重量のある製品を吊り下げることによる吊下片と上蓋の破断が無くなるため、従来は、吊下げ困難であったお釜、ポット、ラジカセ等の重量物収納した包装箱を見やすい位置に吊下げて展示することが可能になる。従来は、ポットなどの重量の有る製品を収納した包装箱は、吊り下げが困難であるため、積み上げることしか出来ず、包装箱外周に記載された商品説明を見やすく展示することが出来なかった。本願請求項１の展示用包装具は、外周に製品内容の説明等を記載した包装箱を、製品を収納したまま高い位置に吊り下げて需要者が見やすい位置に展示出来るため、箱入り重量製品の効果的なピーアールが出来る発明となっている。
【００１８】
また、吊下片が邪魔になることなく包装箱を積み上げることができるため、保管が容易になる。更に、包装箱を含む展示用包装具全体の部材強度を上げなくても吊下片の交換のみで重量物の吊り下げが可能になるため、展示用包装具の単価が安価になる。
【００１９】
請求項２による展示用包装具によれば、包装箱を吊り下げずに積み重ねる場合、取り外した吊下片を別途保管するスペースを確保する必要がなくなるため、スペースの節約となる。また、包装箱が落下して収納した製品が破損する危険性を回避出来る。
【００２０】
請求項３による展示用包装具によれば、吊下片の長さを変えることにより包装箱の重さに応じた吊下片の強度が保たれるため、包装箱の落下が防止できると共に、複数の種類の製品を収納した包装箱を一本の棒に吊り下げた状態で各包装箱に記載された製品説明により、収納された製品内容を十分に展示することが出来る。
【００２１】
請求項４による展示用包装具によれば、宣伝表記や価格を記載した紙を挟み、更に効果的な製品宣伝を行うことが出来る。
【発明を実施するための最良の形態】
【００２２】
次に、本発明の公的な実施形態を、以下の実施例１に基づいて説明する。
【００２３】
図１〜図５は、本発明の実施例を示すもので、図１は、本発明の実施例１に係る展示用包装具の斜視図、図２（ａ）は、実施例１の吊下片の展開図、図２（ｂ）は、吊下片の使用時の状態を表す斜視図、図２（ｃ）は、包装箱へ収納時に吊下片を折りたたんだ状態を表す平面図、図３は、実施例１の包装箱の展開図、図４は、展示用包装具の組立て方を説明する斜視図、図５は、実施例１及び吊下片の長さが異なる実施例２の展示用包装具を同時に使用した状態を表す斜視図である。
【００２４】
図１から図３により、実施例１の展示用包装具を説明する。展示用包装具３０は、展開した状態から組立てられ、製品を収納する包装箱３１と、吊下片（吊り下げタグ）３２から構成される。
【００２５】
包装箱３１は、上蓋３３，底板３４，前面板３５、後面板３６，左側面板３７，右側面板３８から構成され、前後面及び左右側面板（３５〜３８）には、収納する製品の内容説明等を記載することが出来る。吊下片３２は、吊下棒７５に通す挿通孔（吊り下げ孔）（４１，４２）を備えた吊下部（３９，４０）が上蓋３３に形成された突出口４３から上方へ突出し、吊下部（３９，４０）の基端部から左右水平方向に屈曲した支持部（４４，４５）が、吊下棒７５（図５を参照）への吊り下げ時に上蓋３３の裏面と後述する包装箱３１に収納する製品６６の上端に挟持され、包装箱３１が吊り下がる。
【００２６】
包装箱３１及び吊下片３２は、樹脂、金属、防水加工を施した紙やダンボールなどによって形成する事が考えられる。包装箱３１は、製品収納後の吊下げ時に底板３４が抜けず、上蓋３３及び係合片（５２，５３）が変形又は破損などしない十分な強度を持った部材で形成する。一方、吊下片３２は、吊下げ時に収納箱と収納製品の重量を全て受けるため、包装箱３１よりも高強度な部材で形成する。特に、吊下げ時に応力が集中する挿通孔（４１，４２）近傍から破断することのないよう、十分な強度をそなえた部材を選択する。例えば、包装箱３１は紙やダンボールを用いて低コストで形成し、吊下片３２は、これより高強度な樹脂、金属、防水加工して水濡れ破損の無い紙等で形成することにより、吊下げ時に破断の無い展示用包装具３０を安価に製造できる。また、本願各実施例では、支持部（４４，４５）が水平方向の左右両方に伸ばしているが、前記支持部を左右のいずれか一方のみに伸ばし、部材強度を上げたものとしてもよい。
【００２７】
本願各実施例においては吊下片３２を透明な樹脂で形成している。吊下片３２は、図２（ａ）に示すとおり、山折り部４６を間に挟み左右対称に形成され、吊下部（３９，４０）及び谷折り部（４７，４８）を介して前記吊下部にそれぞれそれぞれ連続する支持部（４４，４５）により構成され、前記吊下部上には、吊下棒７５に通す挿通孔（４１，４２）が形成される。図２（ｂ）に示すように、吊下部（３９，４０）は、山折り部４６で二つ折りにし、支持部（４４，４５）は、それぞれ谷折り部（４７，４８）で水平方向へ互いに逆向きに折り返して使用する。
【００２８】
吊下片３２は、使用しないとき、図２（ｃ）に示すように支持部（４４，４５）を吊下部（３９，４０）に接触するまで折り返して折りたたみ、包装箱３１に収容する。支持部（４３，４４）の縦外寸（最大外寸）及び横外寸（最小外寸）をそれぞれＬ１、Ｌ２（Ｌ２≦Ｌ１）とし、包装箱３１の組立て後に前後面板（３５，３６）及び側面板（３７，３８）がそれぞれ構成する内寸（各板外寸より折り曲げ代を微小寸法差し引いた長さ）をそれぞれ略Ｌ３及びＬ４（Ｌ４≦Ｌ３とし、Ｌ３を最大内寸、Ｌ４を最小内寸とする）とした場合、Ｌ１をＬ３以下に形成し、Ｌ２をＬ４以下に形成することにより、吊下片３２を包装箱３１へ収容することが出来る。また、支持部（４３，４４）の縦寸法Ｌ１は、吊下げ部（３９，４０）の縦寸法Ｌ５より大きく形成することにより、吊下げ時に吊下片３２が突出孔４３より抜けて、包装箱３１が落下することを防止できる。
【００２９】
また、吊下片３２は、透明であるため、吊り下げ部（３９，４０）の間に価格を表したタグ４９を差し込んで表示することが出来る。
【００３０】
包装箱３１は、吊下片３２と同様に、樹脂、防水加工を施した紙やダンボールなどによって形成する事が考えられるが、吊下片３２と別体であって、吊下片３２が破断しないための強度は吊下片の素材強度によって担保されているため、使用する素材は、製品収納時に底板３４が抜けず、上蓋３３及び係合片（５２，５３）が破損などしない素材であれば、吊下片３２より低強度のものであっても差し支えない。
包装箱３１の構成は、図３に示すとおり、前面板３５の左右に左右側面板（３７，３８）が連続し、右側面板３８の右側に後面板３６と糊代５０が順に連続して形成されている。前後面板及び左右側面板（３５〜３８）の下方には、底板３４を爪部分（爪部（３４ｅ〜３４ｇ）、凹み部３４ｈ）の係合によって構成する底板（３４ａ〜３４ｄ）が連続し、前面板３５の上方には、上蓋３３とフラップ５１が順に連続し、左右側面板（３７，３８）の上方には、係合片５２及び５３がそれぞれ連続して形成されている。上蓋３３と係合片（５２，５３）には、吊下部（３９，４０）を突出させる突出孔４３と前記係合片の折曲時に突出孔４３と位置が重なる突出スリット（５４，５５）がそれぞれ形成されている。また上蓋３３には、半円孔５６が形成され、後面板３６には、半円孔５６に挿脱自在な爪部５７が形成されている。
【００３１】
展示用包装具３０の組立ては、図３及び図４に示すとおり、まず、左右側面板（３７，３８）、後面板３６及び糊代５０を山折り線（５８〜６１）にそって山折りし、のり代５０を左側面板３７の左端にのり付けして箱状にする。底板３４は、３４ａから３４ｄまで山折り線（６２〜６５）に沿って順番に山折りし、爪部（３４ｅ〜３４ｇ）を凹み部３４ｈに係合させて形成する。
【００３２】
次に、製品（図４は、例として「２０ｋｇ用はかり」を記載、箱サイズにより、ラジカセやポット等も収納可）６６を包装箱３１に収納し、図２（ｂ）の状態にした吊下片３２を製品６６の上端に搭載し、係合片（５２，５３）を山折り線（６６，６７）に沿って水平に折り曲げて、吊下部（３９，４０）を突出スリット（５４，５５）から上方に露出させる。最後に、上蓋３３とフラップ５１をそれぞれ山折り線（６８，６９）に沿って手前に折曲げ、吊下部（３９，４０）の上端を突出孔４３から上方に突出させ、フラップ５１を前面板３５と係合片（５２，５３）との間に差し込み、爪部５７を山折り線７０及び谷折り線７２、スリット（７３，７４）を介して折曲げ、半円孔５６に差し込むことにより製品６６の収納が完了する。
【００３３】
尚、吊下片３２の支持部（４４，４５）は、製品６６の上端と係合片（５２，５３）を介した上蓋３３の裏面との間に挟持されることにより、吊下げ時に製品６６の収納された包装箱３１の上蓋３３を支持するが、係合片（５２，５３）と製品６６の上端との間に隙間がある場合には、前記隙間に緩衝材（図示せず）や、取扱説明書等を敷き詰めて隙間を塞ぐことにより、支持部（４４，４５）を背品６６の上端と係合片（５２，５３）の裏面に挟持させ、支持部（４４，４５）が係合片（５２，５３）の裏面を面接触により確実に支持するようにする谷折り部（４７，４８）へ応力集中することによる破断回避のため）。
【００３４】
図５は、実施例１及び２の展示用包装具３０と３０’をそれぞれ一本の吊下棒７５に吊下げた場合を表している。実施例２の展示用包装具３０’は、吊下片３２’の長さを吊下片３２より長くすることにより、前面板３５及び３５’の商品説明内容（２０ｋｇ用はかりと４０ｋ用はかり）が正面から共に見られるようにしている。このように、吊下片３２の長さを変えることによって，一本の吊下げ棒に複数主製品を展示するなど、多様な展示レイアウトを実現することが出来る。
【図面の簡単な説明】
【００３５】
図１〜図５は、本発明の実施例を示すもので、図１は、本発明の実施例１に係る展示用包装具の斜視図、図２（ａ）は、実施例１の吊下片の展開図、図２（ｂ）は、吊下片の使用時の状態を表す斜視図、図２（ｃ）は、包装箱へ収納時に吊下片を折りたたんだ状態を表す平面図、図３は、実施例１の包装箱の展開図、図４は、展示用包装具の組立て方を説明する斜視図、図５は、実施例１及び吊下片の長さが異なる実施例２の展示用包装具を同時に使用した状態を表す斜視図である。
【００３６】
【図１】本発明の実施例１に係る展示用包装具の斜視図である。
【図２】（ａ）実施例１の吊下片の展開図である。                                      （ｂ）吊下片の使用時の状態を表す斜視図である。                              （ｃ）包装箱へ収納時に吊下片を折りたたんだ状態を表す平面図である。
【図３】実施例１の包装箱の展開図である。
【図４】展示用包装具の組立て方を説明する斜視図である
【図５】実施例１及び吊下片の長さが異なる実施例２の展示用包装具を同時に使用した状態を表す斜視図である。
【符号の説明】
【００３７】
３０，３０’    展示用包装具
３１            包装箱
３２，３２’    吊下片
３３            上蓋
３９，４０      吊下部
４１，４２      挿通孔
４３            突出孔
４４，４５      支持部
４７，４８      境界部分（谷折り部）
Ｌ１            折りたたみ後の吊下片の最大外寸
Ｌ２            折りたたみ後の吊下片の最小外寸
Ｌ３            組立て後の包装箱の最大内寸
Ｌ４            組立て後の包装箱の最小内寸
【図１】
2008265846.tif 000003
【図２】
2008265846.tif 000004
【図３】
2008265846.tif 000005
【図４】
2008265846.tif 000006
【図５】
2008265846.tif 000007